(57)【特許請求の範囲】
【請求項１】
利用者が通行する改札機と、
利用者が所持する記憶媒体に記憶された第１入出場情報にアクセスするための第１通信手段と、
前記第１通信手段によりアクセスされた第１入出場情報に基づいて、利用者を前記改札機において通過させるか否かを判定する第１判定手段と、を備えた改札システムにおいて、
前記記憶媒体に記憶された第２入出場情報に非接触状態でアクセスするための第２通信手段と、
前記第２通信手段によりアクセスされた第２入出場情報に基づいて、利用者を前記改札機において通過させるか否かを判定する第２判定手段と、をさらに備えることを特徴とする改札システム。
【請求項２】
請求項１に記載の改札システムにおいて、
前記第２判定手段は、前記第１判定手段により利用者を前記改札機において通過させないと判定された場合に、前記利用者を前記改札機において通過させるか否かを再度判定するように構成されていることを特徴とする改札システム。
【請求項３】
請求項１または請求項２に記載の改札システムにおいて、
前記第２通信手段は、前記第１通信手段の通信領域よりも広い通信領域を形成するように構成されていることを特徴とする改札システム。
【請求項４】
請求項１ないし請求項３のいずれかに記載の改札システムにおいて、
前記第２通信手段は、前記改札機の入口近傍に設けられた第１通信装置と、前記改札機の出口近傍に設けられた第２通信装置とを含むことを特徴とする改札システム。
【請求項５】
請求項１ないし請求項４のいずれかに記載の改札システムにおいて、
前記第１通信手段は、利用者が前記改札機を通過する際に、前記記憶媒体に記憶された第１入出場情報を更新するように構成され、
前記第２通信手段は、利用者が前記改札機を通過する際に、前記記憶媒体に記憶された第２入出場情報を更新するように構成されていることを特徴とする改札システム。
【請求項６】
請求項１ないし請求項５のいずれかに記載の改札システムにおいて、
利用者が前記改札機を入場する際に、前記第１通信手段によりアクセスされた前記第１入出場情報が出場した状態である旨を示す場合、前記第１判定手段により前記利用者の入場が許可されるように構成されていることを特徴とする改札システム。
【請求項７】
請求項１ないし請求項６のいずれかに記載の改札システムにおいて、
利用者が前記改札機を入場する際に、前記第１通信手段によりアクセスされた前記第１入出場情報が入場した状態である旨を示し、前記第２通信手段によりアクセスされた前記第２入出場情報が出場した状態である旨を示す場合、前記第２判定手段により前記利用者の入場が許可されるように構成されていることを特徴とする改札システム。
【請求項８】
請求項１ないし請求項７のいずれかに記載の改札システムにおいて、
利用者が前記改札機を入場する際に、前記第１通信手段によりアクセスされた前記第１入出場情報が入場した状態である旨を示し、前記第２通信手段によりアクセスされた前記第２入出場情報が入場した状態である旨を示す場合、前記第２判定手段により前記利用者の入場が禁止されるように構成されていることを特徴とする改札システム。
【請求項９】
請求項１ないし請求項８のいずれかに記載の改札システムにおいて、
利用者が前記改札機を出場する際に、前記第１通信手段によりアクセスされた前記第１入出場情報が入場した状態である旨を示す場合、前記第１判定手段により前記利用者の出場が許可されるように構成されていることを特徴とする改札システム。
【請求項１０】
請求項１ないし請求項９のいずれかに記載の改札システムにおいて、
利用者が前記改札機を出場する際に、前記第１通信手段によりアクセスされた前記第１入出場情報が出場した状態である旨を示し、前記第２通信手段によりアクセスされた前記第２入出場情報が入場した状態である旨を示す場合、前記第２判定手段により前記利用者の出場が許可されるように構成されていることを特徴とする改札システム。
【請求項１１】
請求項１ないし請求項１０のいずれかに記載の改札システムにおいて、
利用者が前記改札機を出場する際に、前記第１通信手段によりアクセスされた前記第１入出場情報が出場した状態である旨を示し、前記第２通信手段によりアクセスされた前記第２入出場情報が出場した状態である旨を示す場合、前記第２判定手段により前記利用者の出場が禁止されるように構成されていることを特徴とする改札システム。
【発明の詳細な説明】
【技術分野】
【０００１】
本発明は、入出場管理を行う改札システムに関する。
【背景技術】
【０００２】
従来、利用者が乗車（入場）する際に、定期券（記憶媒体）に乗車駅コードを記録する乗車改札機を備えた改札システムが知られている（たとえば、特許文献１参照）。
【０００３】
上記特許文献１に開示された改札システムでは、利用者が下車（出場）する際に、下車改札機により、定期券の乗車駅コードを確認することによって、不正乗車を防止することが可能である。たとえば、この改札システムでは、利用者が定期券の使用可能区間外の駅において入場用の切符を購入して乗車し、使用可能区間内の駅において定期券を用いて下車しようとする場合に、定期券に乗車駅コードが記録されていないので、下車改札機により利用者の出場を禁止する。そして、乗車した駅から下車する駅までの料金の支払いを求める。
【０００４】
【特許文献１】特開平２−１８３８８６号公報
【発明の開示】
【発明が解決しようとする課題】
【０００５】
しかしながら、上記特許文献１に開示された従来の改札システムでは、たとえば、乗車改札機が故障した場合、乗車改札機の扉を開いて利用者を入場させる。この場合、定期券には乗車駅コードが記録されていないので、定期券に係員による処理（たとえば、乗車駅コードの記録）を施さなければ、下車改札機では利用者の出場が禁止されるという不都合がある。すなわち、この改札システムでは、たとえば、乗車改札機が故障した場合、利用者の入出場管理を円滑に行うことが困難であるという問題点がある。
【０００６】
本発明は、上述した課題を解決するものであって、その目的とするところは、利用者の入出場管理を円滑に行うことが可能な改札システムを提供することである。
【課題を解決するための手段】
【０００７】
本発明の改札システムは、利用者が通行する改札機と、利用者が所持する記憶媒体に記憶された第１入出場情報にアクセスするための第１通信手段と、第１通信手段によりアクセスされた第１入出場情報に基づいて、利用者を改札機において通過させるか否かを判定する第１判定手段とを備えた改札システムにおいて、記憶媒体に記憶された第２入出場情報に非接触状態でアクセスするための第２通信手段と、第２通信手段によりアクセスされた第２入出場情報に基づいて、利用者を改札機において通過させるか否かを判定する第２判定手段とをさらに備えている。
【０００８】
このように構成することによって、たとえば、乗車駅での入場時において、第１通信手段（改札機）が故障することにより、第１通信手段を用いて記憶媒体に記憶された第１入出場情報にアクセス（更新）することができない場合にも、第２通信手段を用いて記憶媒体に記憶された第２入出場情報にアクセス（更新）することができる。このため、降車駅での出場時において、利用者が故障していない改札機を通行する際に、記憶媒体の第１入出場情報に係員による処理を施すことなく、第２判定手段により、第２入出場情報を用いて、利用者を改札機において通過させるか否かを判定することができる。
【０００９】
上記改札システムにおいて、第２判定手段は、第１判定手段により利用者を改札機において通過させないと判定された場合に、利用者を改札機において通過させるか否かを再度判定するように構成されていてもよい。
【００１０】
このように構成することによって、第１判定手段により利用者を通過させると判定された場合に、第２判定手段による判定を行わないことにより、システム全体の処理数が増加するのを抑制することができる。
【００１１】
上記改札システムにおいて、第２通信手段は、第１通信手段の通信領域よりも広い通信領域を形成するように構成されていてもよい。
【００１２】
このように構成することによって、改札機が複数設置される場合に、改札機毎に第２通信手段を設ける必要がないので、その分、部品点数が増加するのを抑制することができる。
【００１３】
上記改札システムにおいて、第２通信手段は、改札機の入口近傍に設けられた第１通信装置と、改札機の出口近傍に設けられた第２通信装置とを含んでいてもよい。
【００１４】
このように構成することによって、第１通信装置により、利用者が改札機を通行しようとする際に、容易に、記憶媒体に記憶された第２入出場情報を読み取ることができるとともに、第２通信装置により、利用者が改札機を通過する際に、容易に、記憶媒体に記憶された第２入出場情報を更新することができる。
【００１５】
上記改札システムにおいて、第１通信手段は、利用者が改札機を通過する際に、記憶媒体に記憶された第１入出場情報を更新するように構成され、第２通信手段は、利用者が改札機を通過する際に、記憶媒体に記憶された第２入出場情報を更新するように構成されていてもよい。
【００１６】
このように構成することによって、第１判定手段により、第１入出場情報を用いて、利用者を改札機において通過させるか否かを容易に判定することができるとともに、第２判定手段により、第２入出場情報を用いて、利用者を改札機において通過させるか否かを容易に判定することができる。
【００１７】
上記改札システムにおいて、利用者が改札機を入場する際に、第１通信手段によりアクセスされた第１入出場情報が出場した状態である旨を示す場合、第１判定手段により利用者の入場が許可されるように構成されていてもよい。
【００１８】
このように構成することによって、入場時において、記憶媒体の第１入出場情報が適正である場合に、第１判定手段により利用者の入場を許可することができる。
【００１９】
上記改札システムにおいて、利用者が改札機を入場する際に、第１通信手段によりアクセスされた第１入出場情報が入場した状態である旨を示し、第２通信手段によりアクセスされた第２入出場情報が出場した状態である旨を示す場合、第２判定手段により利用者の入場が許可されるように構成されていてもよい。
【００２０】
このように構成することによって、入場時において、記憶媒体の第１入出場情報が適正でない場合にも、記憶媒体の第２入出場情報が適正であれば、第２判定手段により利用者の入場を許可することができる。
【００２１】
上記改札システムにおいて、利用者が改札機を入場する際に、第１通信手段によりアクセスされた第１入出場情報が入場した状態である旨を示し、第２通信手段によりアクセスされた第２入出場情報が入場した状態である旨を示す場合、第２判定手段により利用者の入場が禁止されるように構成されていてもよい。
【００２２】
このように構成することによって、入場時において、記憶媒体の第１入出場情報が適正でなく、かつ、記憶媒体の第２入出場情報が適正でない場合に、第２判定手段により利用者の入場を禁止することができる。
【００２３】
上記改札システムにおいて、利用者が改札機を出場する際に、第１通信手段によりアクセスされた第１入出場情報が入場した状態である旨を示す場合、第１判定手段により利用者の出場が許可されるように構成されていてもよい。
【００２４】
このように構成することによって、出場時において、記憶媒体の第１入出場情報が適正である場合に、第１判定手段により利用者の出場を許可することができる。
【００２５】
上記改札システムにおいて、利用者が改札機を出場する際に、第１通信手段によりアクセスされた第１入出場情報が出場した状態である旨を示し、第２通信手段によりアクセスされた第２入出場情報が入場した状態である旨を示す場合、第２判定手段により利用者の出場が許可されるように構成されていてもよい。
【００２６】
このように構成することによって、出場時において、記憶媒体の第１入出場情報が適正でない場合にも、記憶媒体の第２入出場情報が適正であれば、第２判定手段により利用者の出場を許可することができる。
【００２７】
上記改札システムにおいて、利用者が改札機を出場する際に、第１通信手段によりアクセスされた第１入出場情報が出場した状態である旨を示し、第２通信手段によりアクセスされた第２入出場情報が出場した状態である旨を示す場合、第２判定手段により利用者の出場が禁止されるように構成されていてもよい。
【００２８】
このように構成することによって、出場時において、記憶媒体の第１入出場情報が適正でなく、かつ、記憶媒体の第２入出場情報が適正でない場合に、第２判定手段により利用者の出場を禁止することができる。
【発明の効果】
【００２９】
本発明によれば、利用者の入出場管理を円滑に行うことが可能な改札システムを提供することができる。
【発明を実施するための最良の形態】
【００３０】
以下、本発明の実施形態について、図面を参照しながら説明する。なお、本実施形態では、改札システムの一例である鉄道の自動改札システムに本発明を適用した場合について説明する。
【００３１】
図１および図２は、本発明の一実施形態による自動改札システムの全体構成を示した図である。図３および図４は、ＩＣカードの構成を説明するための図である。まず、図１〜図４を参照して、本実施形態による自動改札システム１００の構成について説明する。
【００３２】
本発明の一実施形態による自動改札システム１００は、図１に示すように、入場用の自動改札機１０ａと、自動改札機１０ａの近傍に設けられた通信装置２０ａおよび３０ａと、出場用の自動改札機１０ｂと、自動改札機１０ｂの近傍に設けられた通信装置２０ｂおよび３０ｂと、サーバ４０とを備えている。
【００３３】
自動改札機１０ａ、通信装置２０ａおよび３０ａは、Ａ駅に設置されている。なお、図１のＡ駅では、簡略化のため、入場用の自動改札機１０ａのみを示したが、実際には、出場用の自動改札機１０ｂも設置されている。また、自動改札機１０ａ（１０ｂ）は、Ａ駅に複数設置されていてもよい。なお、通信装置２０ａおよび３０ａは、それぞれ、本発明の「第１通信装置」および「第２通信装置」の一例である。
【００３４】
自動改札機１０ａは、ＩＣカード５０を所持する利用者Ｐの通行を許可または禁止するために設けられている。具体的には、自動改札機１０ａに開閉可能な扉１１が設けられており、扉１１が開くことにより利用者Ｐの通行が許可され、扉１１が閉じることにより利用者Ｐの通行が禁止される。
【００３５】
また、自動改札機１０ａは、図２に示すように、扉１１の開閉動作を制御する扉制御部１２と、通信領域Ｒａ１（図１参照）を形成するためのアンテナ１３と、ＩＣカード５０に対する読み取りおよび書き込みを行うためのリードライト部（以下、「Ｒ／Ｗ部」という）１４と、サーバ４０とデータのやり取りを行うためのインターフェース（以下、「ＩＦ」という）１５と、ＲＯＭおよびＲＡＭなどからなる記憶部１６と、各部の動作を制御するためのＣＰＵ１７とを含んでいる。なお、アンテナ１３およびＲ／Ｗ部１４は、本発明の「第１通信手段」の一例であり、ＣＰＵ１７は、本発明の「第１判定手段」の一例である。
【００３６】
通信装置２０ａは、図１に示すように、入場用の自動改札機１０ａの入口近傍の上方に設けられている。すなわち、通信装置２０ａは、Ａ駅の改札外に設けられている。また、通信装置２０ａは、図２に示すように、サーバ４０とデータのやり取りを行うためのＩＦ２１と、ＲＯＭおよびＲＡＭなどからなる記憶部２２と、通信領域Ｒａ２（図１参照）を形成するためのアンテナ２３と、ＩＣカード５０に対する読み取りを行うためのリード部２４と、各部の動作を制御するためのＣＰＵ２５とを含んでいる。アンテナ２３は、たとえば、ＵＨＦ（Ultra  High  Frequency）帯の電波を用いるように構成されている。このため、通信領域Ｒａ２は、図１に示すように、通信領域Ｒａ１よりも広く形成されている。
【００３７】
通信装置３０ａは、入場用の自動改札機１０ａの出口近傍の上方に設けられている。すなわち、通信装置３０ａは、Ａ駅の改札内に設けられている。また、通信装置３０ａは、図２に示すように、サーバ４０とデータのやり取りを行うためのＩＦ３１と、ＲＯＭおよびＲＡＭなどからなる記憶部３２と、通信領域Ｒａ３（図１参照）を形成するためのアンテナ３３と、ＩＣカード５０に対する読み取りおよび書き込みを行うためのＲ／Ｗ部３４と、各部の動作を制御するためのＣＰＵ３５とを含んでいる。アンテナ３３は、たとえば、ＵＨＦ帯の電波を用いるように構成されている。このため、通信領域Ｒａ３は、図１に示すように、通信領域Ｒａ１よりも広く形成されている。
【００３８】
自動改札機１０ｂ、通信装置２０ｂおよび３０ｂは、Ｂ駅に設置されている。なお、図１のＢ駅では、簡略化のため、出場用の自動改札機１０ｂのみを示したが、実際には、入場用の自動改札機１０ａも設置されている。また、自動改札機１０ｂ（１０ａ）は、Ｂ駅に複数設置されていてもよい。なお、通信装置２０ｂおよび３０ｂは、それぞれ、本発明の「第１通信装置」および「第２通信装置」の一例である。
【００３９】
自動改札機１０ｂは、通信領域Ｒｂ１を形成するように構成されている。なお、自動改札機１０ｂのその他の構成は、上記した自動改札機１０ａと同様である。
【００４０】
通信装置２０ｂは、出場用の自動改札機１０ｂの入口近傍の上方に設けられている。すなわち、通信装置２０ｂは、Ｂ駅の改札内に設けられている。また、通信装置２０ｂは、通信領域Ｒｂ１よりも広い通信領域Ｒｂ２を形成するように構成されている。なお、通信装置２０ｂのその他の構成は、上記した通信装置２０ａと同様である。
【００４１】
通信装置３０ｂは、出場用の自動改札機１０ｂの出口近傍の上方に設けられている。すなわち、通信装置３０ｂは、Ｂ駅の改札外に設けられている。また、通信装置３０ｂは、通信領域Ｒｂ１よりも広い通信領域Ｒｂ３を形成するように構成されている。なお、通信装置３０ｂのその他の構成は、上記した通信装置３０ａと同様である。
【００４２】
サーバ４０は、Ｂ駅の係員室に設置されている。また、サーバ４０は、図２に示すように、ＩＦ４１と、ＲＯＭ、ＲＡＭおよびハードディスクなどからなる記憶部４２と、各部の動作を制御するためのＣＰＵ４３とを含んでいる。ＩＦ４１は、自動改札機１０ａ、１０ｂ、通信装置２０ａ、３０ａ、２０ｂおよび３０ｂとデータのやり取りを行うために設けられている。なお、ＣＰＵ４３は、本発明の「第２判定手段」の一例である。
【００４３】
ＩＣカード５０は、非接触型であり、図３に示すように、通信部５１と、ＲＯＭおよびＲＡＭなどからなる記憶部５２および５３と、各部の動作を制御するためのＣＰＵ５４とを含んでいる。通信部５１は、自動改札機１０ａ、１０ｂ、通信装置２０ａ、３０ａ、２０ｂおよび３０ｂと通信するために設けられている。なお、ＩＣカード５０は、本発明の「記憶媒体」の一例である。
【００４４】
記憶部５２には、図４に示すように、自動改札機１０ａおよび１０ｂによりアクセスされるチケットデータが記憶されている。具体的には、チケットデータとして、「チケット状態」、「端末ＩＤ」、「利用年月日」、「利用時刻」、「利用駅コード」、「利用駅名」、「コーナ・号機番号」および「入出場情報」が記憶部５２に記憶されている。「チケット状態」には、「券種」、「開始年月日」、「終了年月日」、「発駅コード」、「着駅コード」および「残情報」が含まれている。なお、記憶部５２の「入出場情報」は、本発明の「第１入出場情報」の一例である。
【００４５】
「券種」は、定期券およびプリペイドカードなどのチケットの種類を示す。「開始年月日」は、チケットの使用開始年月日を示し、「終了年月日」は、チケットの使用終了年月日を示す。すなわち、「開始年月日」および「終了年月日」により、チケットの有効期間を示す。「発駅コード」は、チケットを使用可能な区間の始点駅を示し、「着駅コード」は、チケットを使用可能な区間の終点駅を示す。すなわち、「発駅コード」および「着駅コード」により、チケットの使用可能区間を示す。「残情報」は、チケットの残額を示す。
【００４６】
「端末ＩＤ」は、ＩＣカード５０に割り当てられた識別番号を示す。「利用年月日」は、ＩＣカード５０が自動改札機１０ａ（１０ｂ）を通過した年月日を示し、「利用時刻」は、ＩＣカード５０が自動改札機１０ａ（１０ｂ）を通過した時刻を示す。「利用駅コード」は、ＩＣカード５０が通過した自動改札機１０ａ（１０ｂ）が設置されている駅の線区および駅順を示し、「利用駅名」は、ＩＣカード５０が通過した自動改札機１０ａ（１０ｂ）が設置されている駅名を示す。「コーナ・号機番号」は、ＩＣカード５０が通過した自動改札機１０ａ（１０ｂ）を示す。
【００４７】
「入出場情報」は、ＩＣカード５０が駅の改札内に入場した状態であるか否かを示す。また、「入出場情報」は、たとえば、入場ビットが記憶されている場合に、ＩＣカード５０が駅の改札内に入場した状態である旨を示し、入場ビットが消去されている場合に、ＩＣカード５０が駅の改札外に出場した状態である旨を示す。なお、アクセス権の欄の「Ｒ」および「Ｗ」は、それぞれ、読み取りおよび書き込みのアクセス権があることを示す。
【００４８】
ここで、本実施形態では、記憶部５３には、通信装置２０ａ、３０ａ、２０ｂおよび３０ｂによりアクセスされるチケットデータが記憶されている。具体的には、チケットデータとして、「端末ＩＤ」および「入出場情報」が記憶部５３に記憶されている。この記憶部５３の「端末ＩＤ」には、記憶部５２の「端末ＩＤ」と同じ識別番号が割り当てられている。なお、記憶部５３の「入出場情報」は、本発明の「第２入出場情報」の一例である。
【００４９】
図５および図６は、本発明の一実施形態による自動改札システムの入場処理を説明するためのフローチャートである。次に、図１〜図６を参照して、本実施形態による自動改札システム１００の入場処理について説明する。なお、以下の説明では、ＩＣカード５０を所持する利用者Ｐが、Ａ駅に設けられた入場用の自動改札機１０ａを通行しようとする場合について説明する。
【００５０】
まず、通常時の自動改札システム１００（図１参照）では、図５のステップＳ１において、通信装置２０ａ（図１参照）により、利用者Ｐが所持するＩＣカード５０（図１参照）が通信領域Ｒａ２（図１参照）に侵入したか否かが判断される。具体的には、通信装置２０ａのＣＰＵ２５（図２参照）により、アンテナ２３（図２参照）を用いて、ＩＣカード５０が通信領域Ｒａ２に侵入したか否かが判断される。そして、通信装置２０ａにより、ＩＣカード５０が通信領域Ｒａ２に侵入したと判断された場合には、ステップＳ２に移る。その一方、通信装置２０ａにより、ＩＣカード５０が通信領域Ｒａ２に侵入していないと判断された場合には、ステップＳ１が繰り返し行われる。
【００５１】
次に、ステップＳ２において、通信装置２０ａにより、ＩＣカード５０の記憶部５３（図３参照）に記憶されたチケットデータ（図４参照）の読み取りが行われる。具体的には、ＣＰＵ２５により、アンテナ２３およびリード部２４（図２参照）を用いて、記憶部５３に記憶された「端末ＩＤ」および「入出場情報」の読み取りが行われる。
【００５２】
そして、ＣＰＵ２５により、読み取られた「端末ＩＤ」および「入出場情報」がＩＦ２１（図２参照）を介してサーバ４０（図２参照）に送信される。このとき、サーバ４０では、ＣＰＵ４３（図２参照）により、ＩＦ４１（図２参照）を介して通信装置２０ａから受信した「入出場情報」が記憶部４２に記憶される。具体的には、「入出場情報」は、「端末ＩＤ」と関連付けられ、記憶部５３から読み取られた「入出場情報」として記憶部４２に記憶される。
【００５３】
次に、ステップＳ３において、自動改札機１０ａ（図１参照）により、利用者Ｐが所持するＩＣカード５０が通信領域Ｒａ１（図１参照）に侵入したか否かが判断される。具体的には、自動改札機１０ａのＣＰＵ１７（図２参照）により、アンテナ１３（図２参照）を用いて、ＩＣカード５０が通信領域Ｒａ１に侵入したか否かが判断される。そして、自動改札機１０ａにより、ＩＣカード５０が通信領域Ｒａ１に侵入したと判断された場合には、ステップＳ４に移る。その一方、自動改札機１０ａにより、ＩＣカード５０が通信領域Ｒａ１に侵入していないと判断された場合には、ステップＳ３が繰り返し行われる。
【００５４】
次に、ステップＳ４において、自動改札機１０ａにより、ＩＣカード５０の記憶部５２（図３参照）に記憶されたチケットデータ（図４参照）の読み取りが行われる。具体的には、ＣＰＵ１７により、アンテナ１３およびＲ／Ｗ部１４（図２参照）を用いて、記憶部５２に記憶された「チケット状態」、「端末ＩＤ」および「入出場情報」の読み取りが行われる。そして、ＣＰＵ１７により、読み取られたチケットデータが記憶部１６（図２参照）に記憶される。
【００５５】
次に、ステップＳ５において、自動改札機１０ａにより、記憶部５２の「入出場情報」に入場ビットがないか否かが判断される。そして、自動改札機１０ａにより、記憶部５２の「入出場情報」に入場ビットがないと判断された場合には、ＩＣカード５０の「入出場情報」が適正であるので、ステップＳ６に移る。その一方、自動改札機１０ａにより、記憶部５２の「入出場情報」に入場ビットがあると判断された場合には、記憶部５３の「入出場情報」を確認するために、ステップＳ１１に移る。具体的には、ＣＰＵ１７により、ＩＦ１５を介してサーバ４０に記憶部５３から読み取られた「入出場情報」について問い合わせる。
【００５６】
次に、ステップＳ６において、自動改札機１０ａにより、記憶部５２の「チケット状態」が適正か否かが判断される。具体的には、自動改札機１０ａにより、ＩＣカード５０の有効期間および使用可能区間などが適正か否かが判断される。そして、自動改札機１０ａにより、記憶部５２の「チケット状態」が適正であると判断された場合には、ステップＳ７に移る。その一方、自動改札機１０ａにより、記憶部５２の「チケット状態」が適正でないと判断された場合には、ステップＳ１２に移る。
【００５７】
次に、ステップＳ７において、自動改札機１０ａにより、利用者Ｐの入場が許可される。具体的には、ＣＰＵ１７により、扉制御部１２（図２参照）を用いて、扉１１（図２参照）が開かれる。
【００５８】
次に、ステップＳ８において、自動改札機１０ａにより、ＩＣカード５０の記憶部５２の「入出場情報」に入場ビットが書き込まれる。具体的には、ＣＰＵ１７により、アンテナ１３およびＲ／Ｗ部１４を用いて、ＩＣカード５０の記憶部５２の「入出場情報」に入場ビットが書き込まれる。このとき、自動改札機１０ａにより、ＩＣカード５０の記憶部５２の「利用年月日」、「利用時刻」、「利用駅コード」、「利用駅名」および「コーナ・号機番号」も更新される。なお、記憶部５２の「入出場情報」に入場ビットがあれば（ステップＳ５でＮｏ）、「入出場情報」はその状態で更新される。
【００５９】
そして、ＣＰＵ１７により、更新された「利用年月日」、「利用時刻」、「利用駅コード」、「利用駅名」、「コーナ・号機番号」および「入出場情報」が「端末ＩＤ」とともに、ＩＦ１５（図２参照）を介してサーバ４０に送信される。このとき、サーバ４０では、ＣＰＵ４３により、ＩＦ４１を介して自動改札機１０ａから受信した「利用年月日」、「利用時刻」、「利用駅コード」、「利用駅名」、「コーナ・号機番号」および「入出場情報」が「端末ＩＤ」と関連付けられて記憶部４２に記憶される。なお、この「入出場情報」は、記憶部５３から読み取られた「入出場情報」とは別個に、記憶部５２から読み取られた「入出場情報」（自動改札機１０ａから受信した「入出場情報」）として記憶部４２に記憶される。
【００６０】
次に、ステップＳ９において、通信装置３０ａ（図１参照）により、利用者Ｐが所持するＩＣカード５０が通信領域Ｒａ３（図１参照）に侵入したか否かが判断される。具体的には、通信装置３０ａのＣＰＵ３５（図２参照）により、アンテナ３３（図２参照）を用いて、ＩＣカード５０が通信領域Ｒａ３に侵入したか否かが判断される。そして、通信装置３０ａにより、ＩＣカード５０が通信領域Ｒａ３に侵入したと判断された場合には、ステップＳ１０に移る。その一方、通信装置３０ａにより、ＩＣカード５０が通信領域Ｒａ３に侵入していないと判断された場合には、ステップＳ９が繰り返し行われる。
【００６１】
次に、ステップＳ１０において、通信装置３０ａにより、ＩＣカード５０の記憶部５３に記憶された「端末ＩＤ」を読み取り、そのＩＣカード５０が自動改札機１０ａを通過した利用者Ｐが所持するＩＣカードである場合は、通信装置３０ａにより、ＩＣカード５０の記憶部５３の「入出場情報」に入場ビットが書き込まれる。具体的には、ＣＰＵ３５により、アンテナ３３およびＲ／Ｗ部３４（図２参照）を用いて、ＩＣカード５０の記憶部５３の「入出場情報」に入場ビットが書き込まれる。
【００６２】
そして、ＣＰＵ３５により、更新された「入出場情報」が「端末ＩＤ」とともに、ＩＦ３１（図２参照）を介してサーバ４０に送信される。このとき、サーバ４０では、ＣＰＵ４３により、ＩＦ４１を介して通信装置３０ａから受信した「入出場情報」が記憶部４２に記憶される。具体的には、「入出場情報」は、「端末ＩＤ」と関連付けられ、記憶部５３に記憶された「入出場情報」として記憶部４２に記憶される。その後、入場処理が終了する。
【００６３】
また、本実施形態では、ステップＳ１１において、サーバ４０により、記憶部５３から読み取られた「入出場情報」に入場ビットがないか否かが判断される。そして、サーバ４０により、記憶部５３から読み取られた「入出場情報」に入場ビットがないと判断された場合には、ＩＣカード５０の「入出場情報」が適正であるので、ステップＳ６に移る。具体的には、ＣＰＵ４３により、ＩＦ４１を介して自動改札機１０ａに記憶部５３の「入出場情報」が適正であると応答する。その一方、サーバ４０により、記憶部５３から読み取られた「入出場情報」に入場ビットがあると判断された場合には、ＩＣカード５０の「入出場情報」が適正でないので、ステップＳ１２に移る。
【００６４】
次に、ステップＳ１２において、自動改札機１０ａにより、利用者Ｐの入場が禁止される。具体的には、ＣＰＵ１７により、扉制御部１２を用いて、扉１１が閉じられる。その後、入場処理が終了する。
【００６５】
上記したように、本実施形態の自動改札システム１００は、通常時において、記憶部５２の「入出場情報」または記憶部５３の「入出場情報」に入場ビットがなければ（ステップＳ５またはステップＳ１１でＹｅｓ）、ＩＣカード５０を所持する利用者Ｐの入場を許可する（ステップＳ７）とともに、記憶部５２の「入出場情報」および記憶部５３の「入出場情報」に入場ビットを書き込む（ステップＳ８およびステップＳ１０）ように構成されている。
【００６６】
また、自動改札機１０ａの故障時には、係員により、自動改札機１０ａの扉１１が開かれる。そして、自動改札システム１００では、図６のステップＳ１、Ｓ２、Ｓ９およびＳ１０の処理が行われる。すなわち、本実施形態の自動改札システム１００は、自動改札機１０ａの故障時において、ＩＣカード５０を所持する利用者Ｐが入場する際に、記憶部５３の「入出場情報」に入場ビットを書き込む（ステップＳ１０）ように構成されている。なお、このとき、記憶部５２の「入出場情報」には、入場ビットが書き込まれない。
【００６７】
図７および図８は、本発明の一実施形態による自動改札システムの出場処理を説明するためのフローチャートである。次に、図１〜図４、図７および図８を参照して、本実施形態による自動改札システム１００の出場処理について説明する。なお、以下の説明では、ＩＣカード５０を所持する利用者Ｐが、Ｂ駅に設けられた出場用の自動改札機１０ｂを通行しようとする場合について説明する。
【００６８】
まず、通常時の自動改札システム１００（図１参照）では、図７のステップＳ２１において、通信装置２０ｂ（図１参照）により、利用者Ｐが所持するＩＣカード５０（図１参照）が通信領域Ｒｂ２（図１参照）に侵入したか否かが判断される。具体的には、通信装置２０ｂのＣＰＵ２５（図２参照）により、アンテナ２３（図２参照）を用いて、ＩＣカード５０が通信領域Ｒｂ２に侵入したか否かが判断される。そして、通信装置２０ｂにより、ＩＣカード５０が通信領域Ｒｂ２に侵入したと判断された場合には、ステップＳ２２に移る。その一方、通信装置２０ｂにより、ＩＣカード５０が通信領域Ｒｂ２に侵入していないと判断された場合には、ステップＳ２１が繰り返し行われる。
【００６９】
次に、ステップＳ２２において、通信装置２０ｂにより、ＩＣカード５０の記憶部５３（図３参照）に記憶されたチケットデータ（図４参照）の読み取りが行われる。具体的には、ＣＰＵ２５により、アンテナ２３およびリード部２４（図２参照）を用いて、記憶部５３に記憶された「端末ＩＤ」および「入出場情報」の読み取りが行われる。
【００７０】
そして、ＣＰＵ２５により、読み取られた「端末ＩＤ」および「入出場情報」がＩＦ２１（図２参照）を介してサーバ４０（図２参照）に送信される。このとき、サーバ４０では、ＣＰＵ４３（図２参照）により、ＩＦ４１（図２参照）を介して通信装置２０ｂから受信した「入出場情報」が記憶部４２に記憶される。具体的には、「入出場情報」は、「端末ＩＤ」と関連付けられ、記憶部５３から読み取られた「入出場情報」として記憶部４２に記憶される。
【００７１】
次に、ステップＳ２３において、自動改札機１０ｂ（図１参照）により、利用者Ｐが所持するＩＣカード５０が通信領域Ｒｂ１（図１参照）に侵入したか否かが判断される。具体的には、自動改札機１０ｂのＣＰＵ１７（図２参照）により、アンテナ１３（図２参照）を用いて、ＩＣカード５０が通信領域Ｒｂ１に侵入したか否かが判断される。そして、自動改札機１０ｂにより、ＩＣカード５０が通信領域Ｒｂ１に侵入したと判断された場合には、ステップＳ２４に移る。その一方、自動改札機１０ｂにより、ＩＣカード５０が通信領域Ｒｂ１に侵入していないと判断された場合には、ステップＳ２３が繰り返し行われる。
【００７２】
次に、ステップＳ２４において、自動改札機１０ｂにより、ＩＣカード５０の記憶部５２（図３参照）に記憶されたチケットデータ（図４参照）の読み取りが行われる。具体的には、ＣＰＵ１７により、アンテナ１３およびＲ／Ｗ部１４（図２参照）を用いて、記憶部５２に記憶された「チケット状態」、「端末ＩＤ」および「入出場情報」の読み取りが行われる。そして、ＣＰＵ１７により、読み取られたチケットデータが記憶部１６（図２参照）に記憶される。
【００７３】
次に、ステップＳ２５において、自動改札機１０ｂにより、記憶部５２の「入出場情報」に入場ビットがあるか否かが判断される。そして、自動改札機１０ｂにより、記憶部５２の「入出場情報」に入場ビットがあると判断された場合には、ＩＣカード５０の「入出場情報」が適正であるので、ステップＳ２６に移る。その一方、自動改札機１０ｂにより、記憶部５２の「入出場情報」に入場ビットがないと判断された場合には、記憶部５３の「入出場情報」を確認するために、ステップＳ３１に移る。具体的には、ＣＰＵ１７により、ＩＦ１５を介してサーバ４０に記憶部５３から読み取られた「入出場情報」について問い合わせる。
【００７４】
次に、ステップＳ２６において、自動改札機１０ｂにより、記憶部５２の「チケット状態」が適正か否かが判断される。具体的には、自動改札機１０ｂにより、ＩＣカード５０の残額、有効期間および使用可能区間などが適正か否かが判断される。そして、自動改札機１０ｂにより、記憶部５２の「チケット状態」が適正であると判断された場合には、ステップＳ２７に移る。その一方、自動改札機１０ｂにより、記憶部５２の「チケット状態」が適正でないと判断された場合には、ステップＳ３２に移る。
【００７５】
次に、ステップＳ２７において、自動改札機１０ｂにより、利用者Ｐの出場が許可される。具体的には、ＣＰＵ１７により、扉制御部１２（図２参照）を用いて、扉１１（図２参照）が開かれる。
【００７６】
次に、ステップＳ２８において、自動改札機１０ｂにより、ＩＣカード５０の記憶部５２の「入出場情報」の入場ビットが消去される。具体的には、ＣＰＵ１７により、アンテナ１３およびＲ／Ｗ部１４を用いて、ＩＣカード５０の記憶部５２の「入出場情報」の入場ビットが消去される。このとき、自動改札機１０ｂにより、ＩＣカード５０の記憶部５２の「残情報」、「利用年月日」、「利用時刻」、「利用駅コード」、「利用駅名」および「コーナ・号機番号」も更新される。なお、記憶部５２の「入出場情報」に入場ビットがなければ（ステップＳ２５でＮｏ）、「入出場情報」はその状態で更新される。
【００７７】
そして、ＣＰＵ１７により、更新された「残情報」、「利用年月日」、「利用時刻」、「利用駅コード」、「利用駅名」、「コーナ・号機番号」および「入出場情報」が「端末ＩＤ」とともに、ＩＦ１５（図２参照）を介してサーバ４０に送信される。このとき、サーバ４０では、ＣＰＵ４３により、ＩＦ４１を介して自動改札機１０ｂから受信した「残情報」、「利用年月日」、「利用時刻」、「利用駅コード」、「利用駅名」、「コーナ・号機番号」および「入出場情報」が「端末ＩＤ」と関連付けられて記憶部４２に記憶される。なお、この「入出場情報」は、記憶部５３から読み取られた「入出場情報」とは別個に、記憶部５２から読み取られた「入出場情報」（自動改札機１０ｂから受信した「入出場情報」）として記憶部４２に記憶される。
【００７８】
次に、ステップＳ２９において、通信装置３０ｂ（図１参照）により、利用者Ｐが所持するＩＣカード５０が通信領域Ｒｂ３（図１参照）に侵入したか否かが判断される。具体的には、通信装置３０ｂのＣＰＵ３５（図２参照）により、アンテナ３３（図２参照）を用いて、ＩＣカード５０が通信領域Ｒｂ３に侵入したか否かが判断される。そして、通信装置３０ｂにより、ＩＣカード５０が通信領域Ｒｂ３に侵入したと判断された場合には、ステップＳ３０に移る。その一方、通信装置３０ｂにより、ＩＣカード５０が通信領域Ｒｂ３に侵入していないと判断された場合には、ステップＳ２９が繰り返し行われる。
【００７９】
次に、ステップＳ３０において、通信装置３０ｂにより、ＩＣカード５０の記憶部５３に記憶された「端末ＩＤ」を読み取り、そのＩＣカード５０が自動改札機１０ｂを通過した利用者Ｐが所持するＩＣカードである場合は、通信装置３０ｂにより、ＩＣカード５０の記憶部５３の「入出場情報」の入場ビットが消去される。具体的には、ＣＰＵ３５により、アンテナ３３およびＲ／Ｗ部３４（図２参照）を用いて、ＩＣカード５０の記憶部５３の「入出場情報」の入場ビットが消去される。
【００８０】
そして、ＣＰＵ３５により、更新された「入出場情報」が「端末ＩＤ」とともに、ＩＦ３１（図２参照）を介してサーバ４０に送信される。このとき、サーバ４０では、ＣＰＵ４３により、ＩＦ４１を介して通信装置３０ｂから受信した「入出場情報」が記憶部４２に記憶される。具体的には、「入出場情報」は、「端末ＩＤ」と関連付けられ、記憶部５３に記憶された「入出場情報」として記憶部４２に記憶される。その後、出場処理が終了する。
【００８１】
また、本実施形態では、ステップＳ３１において、サーバ４０により、記憶部５３から読み取られた「入出場情報」に入場ビットがあるか否かが判断される。そして、サーバ４０により、記憶部５３から読み取られた「入出場情報」に入場ビットがあると判断された場合には、ＩＣカード５０の「入出場情報」が適正であるので、ステップＳ２６に移る。具体的には、ＣＰＵ４３により、ＩＦ４１を介して自動改札機１０ｂに記憶部５３の「入出場情報」が適正であると応答する。その一方、サーバ４０により、記憶部５３から読み取られた「入出場情報」に入場ビットがないと判断された場合には、ＩＣカード５０の「入出場情報」が適正でないので、ステップＳ３２に移る。
【００８２】
次に、ステップＳ３２において、自動改札機１０ｂにより、利用者Ｐの出場が禁止される。具体的には、ＣＰＵ１７により、扉制御部１２を用いて、扉１１が閉じられる。その後、出場処理が終了する。
【００８３】
上記したように、本実施形態の自動改札システム１００は、通常時において、記憶部５２の「入出場情報」または記憶部５３の「入出場情報」に入場ビットがあれば（ステップＳ２５またはステップＳ３１でＹｅｓ）、ＩＣカード５０を所持する利用者Ｐの出場を許可する（ステップＳ２７）とともに、記憶部５２の「入出場情報」および記憶部５３の「入出場情報」の入場ビットを消去する（ステップＳ２８およびステップＳ３０）ように構成されている。
【００８４】
また、自動改札機１０ｂの故障時には、係員により、自動改札機１０ｂの扉１１が開かれる。そして、自動改札システム１００では、図８のステップＳ２１、Ｓ２２、Ｓ２９およびＳ３０の処理が行われる。すなわち、本実施形態の自動改札システム１００は、自動改札機１０ｂの故障時において、ＩＣカード５０を所持する利用者Ｐが出場する際に、記憶部５３の「入出場情報」の入場ビットを消去する（ステップＳ３０）ように構成されている。なお、このとき、記憶部５２の「入出場情報」の入場ビットは消去されない。
【００８５】
本実施形態では、上記のように、たとえば、ＩＣカード５０を所持する利用者Ｐが入場する際に、自動改札機１０ａの故障により、記憶部５２の「入出場情報」に入場ビットが書き込まれない場合にも、記憶部５３の「入出場情報」に入場ビットが書き込まれる（図６のステップＳ１０）ことによって、ＩＣカード５０を所持する利用者Ｐが出場する際に、サーバ４０により、記憶部５３の「入出場情報」に入場ビットがあると判断される（図７のステップＳ３１でＹｅｓ）ので、利用者Ｐの出場が許可される（図７のステップＳ２７）。したがって、本実施形態による自動改札システム１００では、入場用の自動改札機１０ａが故障した場合にも、係員によりＩＣカード５０に処理を施す必要がないので、利用者Ｐの入出場管理を円滑に行うことができる。
【００８６】
また、本実施形態では、たとえば、ＩＣカード５０を所持する利用者Ｐが入場する際に、図５のステップＳ８において、記憶部５２の「入出場情報」に入場ビットが適切に書き込まれなかった場合にも、記憶部５３の「入出場情報」に入場ビットが書き込まれる（図５のステップＳ１０）ことによって、ＩＣカード５０を所持する利用者Ｐが出場する際に、サーバ４０により、記憶部５３の「入出場情報」に入場ビットがあると判断される（図７のステップＳ３１でＹｅｓ）ので、利用者Ｐの出場が許可される（図７のステップＳ２７）。したがって、本実施形態による自動改札システム１００では、記憶部５２の「入出場情報」に入場ビットが適切に書き込まれなかった場合にも、係員によりＩＣカード５０に処理を施す必要がないので、利用者Ｐの入出場管理を円滑に行うことができる。
【００８７】
また、本実施形態では、ＩＣカード５０を所持する利用者Ｐが入場する際に、記憶部５２の「入出場情報」に入場ビットがない場合（図５のステップＳ５でＹｅｓ）には、利用者Ｐの入場を許可する（図５のステップＳ７）とともに、図５のステップＳ１１の処理を行わないことによって、自動改札システム１００の処理数が増加するのを抑制することができる。
【００８８】
また、本実施形態では、たとえば、ＩＣカード５０を所持する利用者Ｐが出場する際に、自動改札機１０ｂの故障により、記憶部５２の「入出場情報」の入場ビットが消去されない場合にも、記憶部５３の「入出場情報」の入場ビットが消去される（図８のステップＳ３０）ことによって、ＩＣカード５０を所持する利用者Ｐが次に入場する際に、サーバ４０により、記憶部５３の「入出場情報」に入場ビットがないと判断される（図５のステップＳ１１でＹｅｓ）ので、利用者Ｐの入場が許可される（図５のステップＳ７）。したがって、本実施形態による自動改札システム１００では、出場用の自動改札機１０ｂが故障した場合にも、係員によりＩＣカード５０に処理を施す必要がないので、利用者Ｐの入出場管理を円滑に行うことができる。
【００８９】
また、本実施形態では、たとえば、ＩＣカード５０を所持する利用者Ｐが出場する際に、図７のステップＳ２８において、記憶部５２の「入出場情報」の入場ビットが適切に消去されなかった場合にも、記憶部５３の「入出場情報」の入場ビットが消去される（図７のステップＳ３０）ことによって、ＩＣカード５０を所持する利用者Ｐが次に入場する際に、サーバ４０により、記憶部５３の「入出場情報」に入場ビットがないと判断される（図５のステップＳ１１でＹｅｓ）ので、利用者Ｐの入場が許可される（図５のステップＳ７）。したがって、本実施形態による自動改札システム１００では、記憶部５２の「入出場情報」の入場ビットが適切に消去されなかった場合にも、係員によりＩＣカード５０に処理を施す必要がないので、利用者Ｐの入出場管理を円滑に行うことができる。
【００９０】
また、本実施形態では、ＩＣカード５０を所持する利用者Ｐが出場する際に、記憶部５２の「入出場情報」に入場ビットがある場合（図７のステップＳ２５でＹｅｓ）には、利用者Ｐの出場を許可する（図７のステップＳ２７）とともに、図７のステップＳ３１の処理を行わないことによって、自動改札システム１００の処理数が増加するのを抑制することができる。
【００９１】
また、本実施形態では、自動改札機１０ａ（１０ｂ）の入口近傍に通信装置２０ａ（２０ｂ）を設けることによって、容易に、自動改札機１０ａ（１０ｂ）を通行しようとする利用者Ｐが所持するＩＣカード５０の記憶部５３のチケットデータを読み取ることができる。
【００９２】
また、本実施形態では、自動改札機１０ａ（１０ｂ）の出口近傍に通信装置３０ａ（３０ｂ）を設けることによって、容易に、自動改札機１０ａ（１０ｂ）を通過する利用者Ｐが所持するＩＣカード５０の記憶部５３の「入出場情報」を更新することができる。
【００９３】
また、本実施形態では、通信領域Ｒａ２およびＲａ３（Ｒｂ２およびＲｂ３）を通信領域Ｒａ１（Ｒｂ１）よりも広くなるように構成することによって、自動改札機１０ａ（１０ｂ）が複数設置される場合に、自動改札機１０ａ（１０ｂ）毎に通信装置２０ａおよび３０ａ（２０ｂおよび３０ｂ）を設ける必要がないので、その分、部品点数が増加するのを抑制することができる。
【００９４】
また、本実施形態では、不正な方法を用いて自動改札機１０ａ（１０ｂ）を通過する利用者Ｐが存在する場合にも、通信装置２０ａおよび３０ａ（２０ｂおよび３０ｂ）とサーバ４０とにより、不正な方法を用いて通過した利用者Ｐの利用状況を把握することができる。
【００９５】
本発明は、上述した以外にも種々の実施形態を採用することができる。たとえば、上記実施形態では、改札システムの一例として鉄道の自動改札システム１００を示したが、これに限らず、遊園地やイベント会場の入出場管理を行う改札システムなどに本発明を適用してもよい。
【００９６】
また、上記実施形態では、２地点（Ａ駅およびＢ駅）において入出場管理を行う自動改札システム１００を示したが、これに限らず、１地点、または、３地点以上において入出場管理を行う改札システムに本発明を適用してもよい。
【００９７】
また、上記実施形態では、記憶媒体の一例としてＩＣカード５０を示したが、これに限らず、記憶媒体として携帯電話機などを用いてもよい。
【００９８】
また、上記実施形態では、第１判定手段の一例として自動改札機１０ａ（１０ｂ）のＣＰＵ１７を示したが、これに限らず、第１判定手段としてサーバ４０のＣＰＵ４３を用いてもよい。
【００９９】
また、上記実施形態では、第１通信手段の一例であるアンテナ１３およびＲ／Ｗ部１４と、第１判定手段の一例であるＣＰＵ１７とを自動改札機１０ａ（１０ｂ）に設ける例を示したが、これに限らず、第１通信手段の一例であるアンテナ１３およびＲ／Ｗ部１４と、第１判定手段の一例であるＣＰＵ１７とを自動改札機１０ａ（１０ｂ）とは別個に設けてもよい。
【０１００】
また、上記実施形態では、記憶部５３に、チケットデータとして「端末ＩＤ」および「入出場情報」が記憶されている例を示したが、これに限らず、記憶部５３に、チケットデータとして「端末ＩＤ」および「入出場情報」に加えて、「利用時刻」などが記憶されていてもよい。
【０１０１】
また、上記実施形態では、サーバ４０がＢ駅の係員室に設置されている例を示したが、これに限らず、サーバ４０がＡ駅の係員室などその他の場所に設置されていてもよい。
【０１０２】
また、上記実施形態では、自動改札機１０ａおよび１０ｂによりアクセスされるチケットデータが記憶された記憶部５２と、通信装置２０ａ、３０ａ、２０ｂおよび３０ｂによりアクセスされるチケットデータが記憶された記憶部５３とが設けられたＩＣカード５０を示したが、これに限らず、自動改札機１０ａおよび１０ｂによりアクセスされるチケットデータと、通信装置２０ａ、３０ａ、２０ｂおよび３０ｂによりアクセスされるチケットデータとが記憶された記憶部を１つだけＩＣカード５０に設けるようにしてもよい。
【０１０３】
また、上記実施形態では、入場用の自動改札機１０ａおよび出場用の自動改札機１０ｂを備える自動改札システム１００を示したが、これに限らず、図９に示した本実施形態の変形例による自動改札システム２００のように、入出場用の自動改札機１０ｃを備えていてもよい。この自動改札機１０ｃは、入場用の扉１１ａ、扉制御部１２ａ、アンテナ１３ａおよびＲ／Ｗ部１４ａと、出場用の扉１１ｂ、扉制御部１２ｂ、アンテナ１３ｂおよびＲ／Ｗ部１４ｂとを含んでいる。なお、扉１１ａ（１１ｂ）、扉制御部１２ａ（１２ｂ）、アンテナ１３ａ（１３ｂ）およびＲ／Ｗ部１４ａ（１４ｂ）の構成は、それぞれ、上記した扉１１、扉制御部１２、アンテナ１３およびＲ／Ｗ部１４と同様である。また、自動改札機１０ｃを挟むように、通信装置２０ｃおよび３０ｃが設けられている。なお、通信装置２０ｃおよび３０ｃの構成は、上記した通信装置３０ａ（３０ｂ）と同様である。また、改札外に設けられた通信装置２０ｃは、上記した通信装置２０ａおよび３０ｂとして機能するように構成されている。また、改札内に設けられた通信装置３０ｃは、上記した通信装置２０ｂおよび３０ａとして機能するように構成されている。
【０１０４】
また、上記実施形態では、図５のステップＳ４（図７のステップＳ２４）において、自動改札機１０ａ（１０ｂ）により、記憶部５２に記憶された「チケット状態」、「端末ＩＤ」および「入出場情報」が読み取られる例を示したが、これに限らず、自動改札機１０ａ（１０ｂ）により、記憶部５２に記憶された「チケット状態」、「端末ＩＤ」、「利用年月日」、「利用時刻」、「利用駅コード」、「利用駅名」、「コーナ・号機番号」および「入出場情報」が読み取られるようにしてもよい。
【０１０５】
また、上記実施形態では、入場許可（図５のステップＳ７）をした後に、記憶部５２の「入出場情報」に入場ビットの書き込みを行う（図５のステップＳ８）例を示したが、これに限らず、記憶部５２の「入出場情報」に入場ビットの書き込みを行った後に、入場許可をするようにしてもよい。
【０１０６】
また、上記実施形態では、出場許可（図７のステップＳ２７）をした後に、記憶部５２の「入出場情報」の入場ビットを消去する（図７のステップＳ２８）例を示したが、これに限らず、記憶部５２の「入出場情報」の入場ビットを消去した後に、出場許可をするようにしてもよい。
【０１０７】
また、上記実施形態では、第２判定手段の一例としてサーバ４０のＣＰＵ４３を示したが、これに限らず、第２判定手段として自動改札機１０ａ（１０ｂ）のＣＰＵ１７を用いてもよい。
【０１０８】
また、上記実施形態のステップＳ１０（図５）において、通信装置３０ａにより、サーバ４０を参照して、ＩＣカード５０が通信領域Ｒａ２から通信領域Ｒａ３に移動してきたか否かを判断することによって、ＩＣカード５０が自動改札機１０ａを通過した利用者Ｐが所持するＩＣカードであるか否かを判断してもよい。また、自動改札機１０ａにより入場が許可された（図５のステップＳ７）ＩＣカード５０であるか否かを判断することによって、ＩＣカード５０が自動改札機１０ａを通過した利用者Ｐが所持するＩＣカードであるか否かを判断してもよい。
【０１０９】
また、上記実施形態のステップＳ３０（図７）において、通信装置３０ｂにより、サーバ４０を参照して、ＩＣカード５０が通信領域Ｒｂ２から通信領域Ｒｂ３に移動してきたか否かを判断することによって、ＩＣカード５０が自動改札機１０ｂを通過した利用者Ｐが所持するＩＣカードであるか否かを判断してもよい。また、自動改札機１０ｂにより出場が許可された（図７のステップＳ２７）ＩＣカード５０であるか否かを判断することによって、ＩＣカード５０が自動改札機１０ｂを通過した利用者Ｐが所持するＩＣカードであるか否かを判断してもよい。
【０１１０】
また、上記実施形態では、図５のステップＳ１１において、サーバ４０により、記憶部５３から読み取られた「入出場情報」に入場ビットがないか否かを判断する例を示したが、これに限らず、自動改札機１０ａの上方に通信装置（図示せず）を設け、その通信装置により、ＩＣカード５０の記憶部５３の「入出場情報」を読み取るとともに、記憶部５３から読み取られた「入出場情報」に入場ビットがないか否かを判断するようにしてもよい。
【０１１１】
また、上記実施形態では、図７のステップＳ３１において、サーバ４０により、記憶部５３から読み取られた「入出場情報」に入場ビットがあるか否かを判断する例を示したが、これに限らず、自動改札機１０ｂの上方に通信装置（図示せず）を設け、その通信装置により、ＩＣカード５０の記憶部５３の「入出場情報」を読み取るとともに、記憶部５３から読み取られた「入出場情報」に入場ビットがあるか否かを判断するようにしてもよい。
【図面の簡単な説明】
【０１１２】
【図１】本発明の一実施形態による自動改札システムの全体構成を示した概略図である。
【図２】図１の自動改札システムの全体構成を示したブロック図である。
【図３】ＩＣカードの構成を示したブロック図である。
【図４】ＩＣカードの記憶部を説明するための図である。
【図５】本発明の一実施形態による自動改札システムの入場処理を説明するためのフローチャートである。
【図６】本発明の一実施形態による自動改札システムの入場処理を説明するためのフローチャートである。
【図７】本発明の一実施形態による自動改札システムの出場処理を説明するためのフローチャートである。
【図８】本発明の一実施形態による自動改札システムの出場処理を説明するためのフローチャートである。
【図９】本発明の一実施形態の変形例による自動改札システムの全体構成を示したブロック図である。
【符号の説明】
【０１１３】
１０ａ、１０ｂ、１０ｃ    自動改札機（改札機）
１３、１３ａ、１３ｂ      アンテナ（第１通信手段）
１４、１４ａ、１４ｂ      Ｒ／Ｗ部（第１通信手段）
１７              ＣＰＵ（第１判定手段）
２０ａ、２０ｂ    通信装置（第１通信装置、第２通信手段）
３０ａ、３０ｂ    通信装置（第２通信装置、第２通信手段）
２０ｃ、３０ｃ    通信装置（第１通信装置、第２通信装置、第２通信手段）
４３              ＣＰＵ（第２判定手段）
５０              ＩＣカード（記憶媒体）
１００、２００    自動改札システム（改札システム）
【図１】
0005194967.tif 000002
【図２】
0005194967.tif 000003
【図３】
0005194967.tif 000004
【図４】
0005194967.tif 000005
【図５】
0005194967.tif 000006
【図６】
0005194967.tif 000007
【図７】
0005194967.tif 000008
【図８】
0005194967.tif 000009
【図９】
0005194967.tif 000010